(57)【要約】      （修正有）【課題】野菜、花卉等の農作物のトンネル栽培時等に使用する農業用ネットとして、遮光性、遮熱性、通気性、防雨性及び光散乱性を有する農業用ネットを提供する。【解決手段】白色の遮光性フラットヤーン６と透光性を有する半透明フラットヤーン７を交互に編成することで、５０％以上の遮光率を保ち、白色のフラットヤーンにより光の散乱効果を上げる。また、フラットヤーンを隣接して編成することで降雨時における雨水のフラットヤーン間の滴下を防ぐ。さらには、両側部のネットを粗編みすることにより通気性と薬剤散布効率を上げ、トンネルを開閉する手間を省くことができる。【選択図】図１
0003186590.tif 000002
【実用新案登録請求の範囲】
【請求項１】
農作物のトンネル栽培に使用する農業用ネットであって、
農作物の上部と対応する被覆面に、白色の遮光性ポリオレフィン系フィルムからなるフラットヤーンと、乳白色の透光性ポリオレフィン系フィルムからなるフラットヤーンを平行部分に隣接し、ポリオレフィン素材の糸で編成したループ部に挿入してなる遮光部分を有し、該農作物の側部と対応する被覆面をポリオレフィン素材の糸の各糸条のみで編成してなる粗編み部分を有する農業用ネット。
【考案の詳細な説明】
【技術分野】
【０００１】      本考案は、主に野菜又は花卉等の農作物のトンネル栽培において使用される農業用ネットに関するものである。
【背景技術】
【０００２】      野菜、又は花卉など農作物のトンネル栽培に使用される農業用ネットは、作型と使用目的に応じて素材、色、目合いや形態の異なるネットが使用されている。例えば、防虫ネットとしては、モノフィラメント糸を経糸と緯糸に使用してネット状に編成されてなるネットがある。また遮光ネットとしては、経編牽制による鎖編の編目列よりなる糸条部に対して遮光性のテープ状糸を横振り挿入して編成されたネットが知られている。
近年、温暖化の影響に伴い高温期における野菜や花卉の栽培が困難となっている。高温期におけるトンネル栽培は主に虫害を防ぐためであるが、トンネル内の温度と湿度を急激に上昇させ、作物の病気や湿害の原因となりやすい。トンネル内の温度を適度に保つためには、トンネルの側部を開閉しなければならず労力を要する。
これらの問題を解決するために、通気性を有し、かつ遮光することでトンネル内の温度の急激な上昇を防ぐネットが考案されている。例えば、実開平６−５４４２はアルミニウム等の金属素材のみで形成又はアルミニウム等の金属素材を蒸着してなる遮光性及び反射性の大きいテープ状のフラットヤーンを多数本、所定間隔に近接して編成した部分を農作物の上部と対応する被覆面に有し、農作物の側部と対応する被覆面を多数本の各糸条のみで編成して網目を形成した遮光ネットについて開示している。
【先行技術文献】
【特許文献】
【０００３】
【特許文献１】実開平６−５４４２
【考案の概要】
【考案が解決しようとする課題】
【０００４】      しかし、該考案に用いられているフラットヤーンは、実施例に述べられているように、金属素材又は金属素材を蒸着してなる遮光性及び反射性の大きい素材であることから、曇天、雨天等の日にはトンネル内の光量が少なくなり、作物の生育に影響を及ぼす可能性がある。また、金属素材からなるフラットヤーンの他に透明又は半透明の合成樹脂素材で形成した透光テープを適宜本数編成することで農作物の生育に必要な光量が得られることが記載されているが、農作物の生育に必要な光量が得られるための透光テープの詳細な本数、割合、又は素材の開示はされていない。
また、各フラットヤーン間に平行して３本の各縦糸を張架して編成しているため、降雨時にフラットヤーン間から雨水が滴下し、農作物にかかることで農作物に痛みが生じる可能性がある。
【課題を解決するための手段】
【０００５】      本考案は、上記の問題を解決するため、白色の遮光性フラットヤーンと乳白色の透光性を有するフラットヤーンを平行に隣接し、ポリオレフィン素材の糸で編成したループ部分に挿入して織成することで、５０％以上の遮光率を保ち、さらに白色のフラットヤーンにより光の散乱性をよくする。また、フラットヤーンを隣接することで降雨時における雨水のフラットヤーン間の滴下を防ぐ。さらに、両側部のネットを粗編みすることにより通気性と薬剤散布効率を上げ、トンネルの開閉の必要の手間を省くことができる。
【考案の効果】
【０００６】      本考案は、農作物の上部と対応する被覆面に、白色のポリオレフィン系フィルムからなる遮光性フラットヤーンと、乳白色のポリオレフィン系フィルムからなる透光性フラットヤーンを平行に隣接し、ポリオレフィン素材の糸で編成したループ部に挿入し、織成してなる遮光部分を設けることで、降雨時による雨水の滴下を防止することができ、さらに５０％以上の遮光率を保つことができる。また、白色のフラットヤーンによる光の乱反射による散乱光効果により、トンネル内の農作物に均一な光量を提供することで生育のばらつきを防ぐことができる。さらに、両側部のネットを粗編みすることにより、トンネル内の通気性をよくし、薬剤散布効率を上げ、トンネル開閉の手間を省くことができる。さらに、ほつれを防止することで、農業用ネットの耐久性を向上させている。
【図面の簡単な説明】
【０００７】
【図１】本考案の農業用ネットの遮光部分
【図２】本考案の農業用ネットの全体概略図
【図３】トンネル栽培における本考案の農業用ネットの使用図
【図４】本考案の農業用ネットの遮光部分の拡大図
【図５】本考案の農業用ネットの粗編み部分の拡大図
【図６】本考案の農業用ネットの耳部の拡大図
【考案を実施するための形態】
【０００８】      次に本考案の実施の形態を図面に示す実施例に基づいて説明する。
【実施例】
【０００９】      本考案の農業用ネット（以下、農業用ネットと記す）１は、高温期のトンネル栽培において防虫、遮光、遮熱ができ、さらに通気性、防雨性、光散乱性に優れたネットである。図１は、農作物の上部と対応する被覆面にあたる遮光部分２、図４は遮光部分２の拡大図を示す。遮光部分２は、白色の遮光性ポリオレフィン系フィルムからなる白色フラットヤーン６と、乳白色の透光性ポリオレフィン系フィルムからなる乳白色フラットヤーン７を交互に隣接して表側ループ状挿入糸１０と裏側ループ状挿入糸１１の間に挿入して構成されている。白色フラットヤーン６と、乳白色フラットヤーン７を交互に隣接した遮光部分２の遮光率は５０％以上であり、好ましくは５０％である。【００１０】      上記以外に、挿入する白色フラットヤーン６と乳白色フラットヤーン７の挿入パターンを変更して遮光率を上げたり下げたりすることもできる。白色フラットヤーン６を複数本ずつ連続して挿入することもできる。パターンを変化させることで得られる遮光率は２０％〜８０％である。
使用される白色フラットヤーン６は、遮光性を有し、チタンホワイトと温度上昇防止剤を含有するポリオレフィン系フィルムからなる。幅は上記の通り６ｍｍが好ましいが、これに限定されない。
使用される乳白色フラットヤーン７は、透光性を有するポリオレフィン系フィルムからなる。幅は上記の通り６ｍｍが好ましいが、これに限定されない。【００１１】      図２に、農業用ネット１の全体概略図を示す。農作物の上部と対応する被覆面にあたる遮光部分２と農作物の側部と対応する被覆面にあたる粗編み部分３、農業用ネットの両端にあたる耳部４に区画される。
フラットヤーン、糸に使用されるポリオレフィン系の素材としては、ポリプロピレン、ポリエチレン等が挙げられる。【００１２】      図５に、上記粗編み部分３を示す。粗編み部分３は、ポリオレフィン糸５により、害虫の侵入を防止し、かつ通気性に優れた目合いでネット状に編成されてなる。ネット１は鎖編９とループ状挿入糸１２からなるラッセル編みで、ネットの目はループ状挿入糸１２の長さで調節できる。最適な目は５ｍｍ〜６ｍｍである。
ポリオレフィン糸５には、主に透明な糸が用いられる。【００１３】      図６に、上記耳部４を示す。耳部４には、両端のループ状挿入糸１２にロープを一本挿入し、強度を高めている。【００１４】      農業用ネット１は、ポリオレフィン糸５により害虫の侵入を防止し、かつ通気性に優れた目合いでネット状に編成されている。ネット１は鎖編９とループ状緯糸１２からなるラッセル編みで、ネットの目はループ状緯糸１２の長さで調節できる。最適な目は５ｍｍ〜６ｍｍである。
ポリオレフィン糸５は、主に透明な糸が用いられる。【００１５】      上記の構成による農業用ネット１において、ネット全体の幅や長さ、遮光部分２及び粗編み部分３の幅は、トンネル栽培での使用状態に応じて適宜設定できる。例えば、ネット幅は２．２〜２．７ｍ、長さは数十ｍ〜数百ｍである。また前記遮光部分２の幅の割合は、前記農業用ネット幅の約５０％、例えばネット幅が２．２５ｍ前後の場合には、遮光部分２の幅は１．２５ｍ前後に設定される。【００１６】      以下、農業用ネット１の使用状態を説明する。
夏期や日中の高温時において、図３に示すように、農業用ネット１の遮光部分２と農作物の上部とを対応させて被覆することで、トンネル内の農作物に照射される直射日光を遮光部分２の白色フラットヤーン６で反射し、乳白色フラットヤーン７で適度な光量を提供する。【００１７】      曇天時、雨天時には、遮光部分２の乳白色フラットヤーン７と、農業ネット１の側部の粗編み部分３から農作物に適した光量を採光する。さらに、トンネル内に採光された光は、遮光部分２の白色フラットヤーン６によって乱反射し、散光することで、トンネル内の農作物に万遍なく光量を届け、均一な生育を助長する。【００１８】      雨天時には、遮光部分２の白色フラットヤーン６とフラットヤーン７が隣接して編成されることによって、雨が直接農作物に落下するのを防ぎ、かつ、雨水の滴下を防止するため、農作物を雨水から保護することができる。【００１９】      夏期の農作物の栽培において、病虫害の予防のために、薬剤散布が行われる。薬剤散布は通常スプレー式で行われる。農業ネット１の側部の粗編み部分３は、散布された薬剤の霧を通すため、薬剤散布時にもトンネルの開閉の手間を省くことができる。
【符号の説明】
【００２０】      １・・・農業用ネット
２・・・遮光部分
３・・・粗編み部分
４・・・耳部
５・・・ポリオレフィン糸
６・・・白色フラットヤーン
７・・・乳白色フラットヤーン
８・・・ロープ
９・・・鎖編
１０・・・表側ループ状挿入糸
１１・・・裏側ループ状挿入糸
１２・・・ループ状挿入糸
【図１】
0003186590.tif 000003
【図２】
0003186590.tif 000004
【図３】
0003186590.tif 000005
【図４】
0003186590.tif 000006
【図５】
0003186590.tif 000007
【図６】
0003186590.tif 000008